(57)【特許請求の範囲】
【請求項１】
箱体内に、複数の主回路機器を有するユニットを収納したものにおいて、前記複数の主回路機器にこれらの接続のためにそれぞれ設けられた差込受端子と、この差込受端子にそれぞれ差し込まれて前記複数の主回路機器を接続する接続導体とを具備すると共に、前記ユニットを前記箱体内の正面側と背面側とに有し、その間の中間部に複数の母線を共通に並べ有して、この母線に接続する接続端子を、前記ユニットの各背面部に前記母線の並び方向にスライド可能に、且つ、そのスライド方向の先側と元側とで反転可能に設けたことを特徴とするコントロールセンタ。
【発明の詳細な説明】
【０００１】
【発明の属する技術分野】
本発明は主としてユニットの主回路機器の接続構造を改良したコントロールセンタに関する。
【０００２】
【従来の技術】
従来より、コントロールセンタは、図６に示すように、箱体１の内部に、遮断器２や、電磁接触器３、過負荷継電器４、及び断路器５のユニット側５ａといった主回路機器を有するユニット６を収納して構成されており、それらの主回路機器は、その各接続端子７，８，９，１０に電線１１，１２の端部がそれぞれねじ締めされることによって接続されている。
【０００３】
又、断路器５のユニット側５ａには、負荷側５ｂが解離可能に接続結合されており、これの負荷側接続端子１３に、モータや、抵抗、照明器具といった負荷を接続するための電線１４が、端部を曲げて同じくねじ締めされることによって接続されている。
【０００４】
一方、図７は、この従来のコントロールセンタの構成を、箱体２１の正面側（図中下側）と背面側（図中上側）との両方に、ユニット６が収納された両面形のもので示しており、各ユニット６は、背面部に設けられた接続端子１５を、箱体２１の内部中央部分に個別に設けられた母線１６に挟み付けることによって接続されている。
【０００５】
更に、図７はユニット６の作動点検を行うときの様子をも示しており、箱体１の扉１７（図示例は正面側）を開けて、断路器５がユニット側５ａと負荷側５ｂとで解離されるまでユニット６（これも図示例は正面側）を引き出し、この状態で、ユニット６の作動点検を行うようになっている。
【０００６】
【発明が解決しようとする課題】
上記従来のものの場合、ユニット６の主回路機器（２〜５）の接続を、主回路機器の各接続端子７，８，９，１０に電線１１，１２の端部をそれぞれねじ締めすることにより行っているため、作業が面倒であり、多くの時間を要していた。
【０００７】
又、箱体２１の正面側と背面側との両方にユニット６が収納された両面形のものにおいては、両ユニット６について、母線１６が個別に設けられており、その分、部品点数を多く要すると共に、母線１６の個別の組み付けのために手間を多く要していた。
【０００８】
本発明は上述の事情に鑑みてなされたものであり、従ってその目的は、ユニットの主回路機器相互の接続が容易且つ速やかにできると共に、両面形のものの母線数の削減ができるコントロールセンタを提供するにある。
【０００９】
【課題を解決するための手段】
上記目的を達成するために、本発明のコントロールセンタは、第１に、箱体内に、複数の主回路機器を有するユニットを収納したものにおいて、前記複数の主回路機器にこれらの接続のためにそれぞれ設けられた差込受端子と、この差込受端子にそれぞれ差し込まれて前記複数の主回路機器を接続する接続導体とを具備すると共に、前記ユニットを前記箱体内の正面側と背面側とに有し、その間の中間部に複数の母線を共通に並べ有して、この母線に接続する接続端子を、前記ユニットの各背面部に前記母線の並び方向にスライド可能に、且つ、そのスライド方向の先側と元側とで反転可能に設けたことを特徴とする。
このものによれば、主回路機器の各差込受端子に接続導体を差し込むだけで、主回路機器相互の接続がなされる。又、両面形のものの各ユニットの接続端子を、共通の母線の相の並びと位置とに合うように調整し、この状態で、その各接続端子を共通の母線に接続することができる。
【００１３】
【発明の実施の形態】
以下、本発明の基本構造につき、図１ないし図３を参照して説明する。
まず図３には、コントロールセンタ全体の外殻である箱体３１を示しており、上下複数段（図示は３段）のユニット室３２と、これらに共通の垂直配線処理室３３とを左右の並設状態で有している。各ユニット室３２の内部には、ユニット３４を収納しており（中段のユニット室３２についてのみ図示）、ユニット３４は、遮断器３５、電磁接触器３６、過負荷継電器３７、及び断路器３８といった主回路機器を有し、これらを図示しないユニットフレームに、この場合、すべて横並びの状態で取付けたものである。
【００１４】
なお、断路器３８は、ユニット側３８ａと、これに解離可能に接続結合した負荷側３８ｂとから成るもので、ユニット３４はそのうちのユニット側３８ａのみを有しており、負荷側３８ｂは垂直配線処理室３３内に位置させて固定している。このほか、ユニット３４は、各種表示部や操作部を有する監視・制御機器３９をも一体的に有している。
【００１５】
しかして、ユニット３４の主回路機器（３５〜３８）には、主回路機器相互接続のための接続端子として、図１に示す差込受端子４０を設けている。この差込受端子４０は、例えば、一枚の金属板を折曲して、ほゞム字状に三角部４０ａを形成し、この三角部４０ａの合わせ頂部から先方へ同様に延びる二つの接触部４０ｂを形成して、更に、その接触部４０ｂの先端部から互いに離反する斜め方向に延びる二つの拡開片部４０ｃを形成したものであり、遮断器３５の電磁接触器３６側端部、電磁接触器３６の遮断器３５側端部、過負荷継電器３７の断路器３８側端部、及び断路器３８のユニット側３８ａの過負荷継電器３７側端部に、それぞれ拡開片部４０ｃを前方に向けて、３相分ずつ設けている。
なお、電磁接触器３６と過負荷継電器３７は別の手段にてあらかじめ一体的に接続結合している。
【００１６】
これに対して、図３中、４１は第１の接続導体、４２は第２の接続導体を示しており、このうち、第１の接続導体４１は、詳細には図２に示すように、短冊状を成すもので、両端部を残して絶縁被覆４３を例えばコーティングにより施している。
【００１７】
この第１の接続導体４１を３本使用し、その裸状の各両端部を上記遮断器３５及び電磁接触器３６の各差込受端子４０に差し込んでいる。このとき、第１の接続導体４１は、各差込受端子４０の拡開片部４０ｃ側から差し込み、接触部４０ｂを押し分けて、この接触部４０ｂ間に圧入することにより、接触部４０ｂの弾性復元力により、接触部４０ｂと接触しており、かくして、遮断器３５と電磁接触器３６とを接続している。
【００１８】
一方、第２の接続導体４２は、図１に示すように、３本を絶縁体４４で一まとめに絶縁被覆して成るもので、その絶縁体４４は、例えば、第２の接続導体４２をインサートして直方体のブロック状にモールドしたものであり、その左右の両側面からは第２の接続導体４２の両端部を突出させている。又、絶縁体４４の前面部には取手４５を、成形により、あるいは別のインサート部品により一体に設けている。
【００１９】
この構成で、第２の接続導体４２は、取手４５を持って、裸状の各両端部を前記過負荷継電器３７及び断路器３８の各差込受端子４０に差し込んでいる。このときも、第２の接続導体４２は、各差込受端子４０の拡開片部４０ｃ側から差し込み、接触部４０ｂを押し分けて、この接触部４０ｂ間に圧入することにより、接触部４０ｂの弾性復元力により、接触部４０ｂと接触しており、かくして、過負荷継電器３７と断路器３８とを接続している。
【００２０】
そして、断路器３８の前記負荷側３８ｂには、図３に示すように、負荷接続用の接続端子４６を設けている。この接続端子４６は、その長さを最上部のものから最下部のものへ順に短く定めており、その各先端部に、モータや、抵抗、照明器具といった負荷を接続するための電線４７を、箱体３１の前記垂直配線処理室３３を下方より通して、ほゞ垂直状のまま接続している。
なお、これから明らかなように、接続端子４６は、その最上部のものが電線４７の導入先側であり、最下部のものが電線４７の導入元側である。又、ユニット３４の主回路機器のうち、断路器３８と過負荷継電器３７は隣り合う主回路機器である。
【００２１】
さて、上述のごとく構成したものの場合、ユニット３４の主回路機器相互の接続は、主回路機器の各差込受端子４０に接続導体４１，４２を差し込むだけでなされるものであり、従来の、電線１１，１２の端部を主回路機器の各接続端子７，８，９，１０に逐一ねじ締めしていたもののような手間を要しないので、接続の作業を容易化でき、所要時間も短縮できる。
【００２２】
又、第２の接続導体４２を、取手４５を持って差込受端子４０から抜き外せば、ユニット３４が負荷側から接続を断たれ、作動点検できる状態になる。従って、このユニット３４の作動点検をするときにも、従来の、ユニット６を断路器５がユニット側５ａと負荷側５ｂとで解離されるまで引き出すような手間を要することなくそれができるもので、必要な力も少なくて済み、更に、従来のユニット６を引き出し位置に保持するのに要した複雑な構造も必要とはしない。
【００２３】
加えて、負荷を接続するための電線４７の接続については、その接続相手である断路器３８の負荷接続用の接続端子４６の長さを、最上部のものから最下部のものへ順に短く定めたことによって、電線４７の接続位置が横方向に異なるようになり、電線４７はほゞ直線状のままでそれらに接続できる。従って、この電線４７の接続も、従来の、電線１４の端部を曲げたような手間を要することなくできるもので、更に、その曲げた電線１４の端部の弾性復元力で心配されていた破損のおそれを、接続端子４６についてはなくすことができる。
【００２４】
以上に対して、図４及び図５は本発明の一実施例を示すもので、基本構造と同一の部分には同一の符号を付して説明を省略し、異なる部分についてのみ述べる。
このものの場合、箱体５１は、前述の箱体３１を２つ、いわゆる背中合わせ状態で設けたものに等しく、その正面側（図中下側）の左寄りのユニット室３２と、背面側（図中上側）の右寄りのユニット室３２との両方に、それぞれユニット３４を収納することにより、両面形のコントロールセンタとしている。
【００２５】
又、この場合、両ユニット３４間の中間部である箱体５１の中央部には、両ユニット３４に共通の母線（垂直母線）５２を三相分左右方向に並べて設けている。
これに対して、各ユニット３４の図５に示すユニットフレーム５３の背面部には、左右方向に延びる溝５４をスライドガイド部として設けており、この溝５４に、母線５２に接続するための接続端子５５を三相分取付けたスライドベース５６を、スライド可能で且つ着脱可能に組み付けている。
【００２６】
ここで、母線５２は左から順にＲ相，Ｓ相，Ｔ相である。従って、これに合わせ、両ユニット３４の接続端子５５も、同じく左から順にＲ，Ｓ，Ｔ相の並びとする必要があるが、背面側（図中上側）のユニット３４の接続端子５５は、背面側より見た場合、左からは反対のＴ，Ｓ，Ｒ相の並びとする必要がある。
【００２７】
そこで、背面側のユニット３４の接続端子５５については、これらをスライドベース５６ごとその左右を逆にし、すなわち、左右を反転させて溝５４に組み付ける。そして、その後、両ユニット３４の各接続端子５５をそれぞれスライドベース５６ごと溝５４に沿って母線５２の位置する方向にスライドさせる。従って、この場合、背面側のユニット３４の接続端子５５は、そのスライド方向の先側と元側とで反転させているのである。
【００２８】
かくして、両ユニット３４の接続端子５５を、母線５２の相の並びと位置とに合うように調整し、この状態で、両ユニット３４を押し込み、各接続端子５５を母線５２に挟み付けて接続する。なお、ユニット３４の内部の主回路機器、特には遮断器３５に対する接続端子５５の接続は、例えばスライドベース５６から溝５４を通した電線（図示せず）により各相ごとに行っており、背面側のユニット３４の接続端子５５の反転は、その電線を半回転分ねじることを伴って行われるようになっている。
【００２９】
このように本構成のものでは、前記基本構造を含んで、ユニット３４を箱体５１の正面側と背面側との両方に有する両面形のコントロールセンタにおいて、その両ユニット３４間の中間部に設けた共通の母線５２に両ユニット３４を正しく接続できるもので、それにより、従来のもののような個別の母線１６を必要とすることはない。従って、母線数の削減ができるものであり、又、母線５２を個別に組み付けるような手間も省くことができる。
【００３０】
【発明の効果】
本発明は以上説明したとおりのもので、ユニットの主回路機器の各差込受端子に接続導体を差し込むだけで、主回路機器相互の接続がなされ、従来の、電線の端部を主回路機器の各接続端子に逐一ねじ締めしていたもののような手間を要しないので、接続の作業を容易化でき、所要時間も短縮できる。
又、ユニットを箱体の正面側と背面側との両方に有する両面形において、両ユニットの接続端子を、共通の母線の相の並びと位置とに合うように調整し、この状態で、その各接続端子を母線に接続できるので、母線を共通化できて、必要な母線数の削減ができ、且つ、母線を個別に組み付けるような手間も省くことができる。
【図面の簡単な説明】
【図１】  本発明の基本構造を示す主要部分の斜視図
【図２】第１の接続導体単体の斜視図
【図３】全体の概略透視斜視図
【図４】  本発明の一実施例を示す全体の概略横断図
【図５】主要部分の斜視図
【図６】従来例を示す図３部分相当図
【図７】図４相当図
【符号の説明】
３１は箱体、３４はユニット、３５は遮断器（主回路機器）、３６は電磁接触器（主回路機器）、３７は過負荷継電器（主回路機器）、３８は断路器（主回路機器）、４０は差込受端子、４１は第１の接続導体、４２は第２の接続導体、４４は絶縁体、４５は取手、４６は接続端子、４７は電線、５１は箱体、５２は母線、５４は溝、５５は接続端子、５６はスライドベースを示す。
【図１】
0003901849.tif 000002
【図２】
0003901849.tif 000003
【図３】
0003901849.tif 000004
【図４】
0003901849.tif 000005
【図５】
0003901849.tif 000006
【図６】
0003901849.tif 000007
【図７】
0003901849.tif 000008